(57)【特許請求の範囲】
【請求項１】
エリアサーバを監視するシステム監視装置と、各エリアの監視を行う複数のエリアサーバと、各エリアサーバに接続されてそのエリア内の監視情報を収集する 情報収集装置と、各エリアサーバに接続されてそのエリア内の前記監視情報を監視する監視端末と、で構成されたエリア分散型ネットワーク監視システムにおける監視端末のバックアップ方法であって、
前記エリアサーバは、前記監視端末の障害検出時に前記システム監視装置に通知し、
前記システム監視装置は、前記通知により、別のエリアサーバに対し前記障害が検出された監視端末のバックアップを指示し、
指示された前記別のエリアサーバは、前記システム監視装置を介さず、障害を検出したエリアサーバから監視情報を受信し、
前記別のエリアサーバの監視端末は、前記障害を検出したエリアサーバから受信した監視情報を自エリア内の監視情報と併せて監視する、
ことを特徴とする監視端末のバックアップ方法。
【請求項２】
エリアサーバを監視するシステム監視装置と、各エリアの監視を行う複数のエリアサーバと、各エリアサーバに接続されてそのエリア内の監視情報を収集する 情報収集装置と、各エリアサーバに接続されてそのエリア内の前記監視情報を監視する監視端末と、で構成されたエリア分散型ネットワーク監視システムにおける監視端末のバックアップ方法であって、
前記エリアサーバは、前記監視端末の障害検出時に前記システム監視装置に監視端末変更依頼し、
前記システム監視装置は、前記監視端末変更依頼により別のエリアサーバに対し前記障害が検出された監視端末のバックアップを指示し、
指示された前記別のエリアサーバは、前記システム監視装置を介さず、障害を検出したエリアサーバから監視情報を受信し、
前記別のエリアサーバの監視端末は、前記障害を検出したエリアサーバから受信した監視情報を自エリア内の監視情報と併せて監視する、
ことを特徴とする監視端末のバックアップ方法。
【請求項３】
さらに、前記別のエリアサーバは、前記別のエリアサーバの監視端末が正常に動作しない時に、前記システム監視装置に監視端末変更依頼をし、
前記システム監視装置は、前記監視端末変更依頼によりさらに別のエリアサーバに対して前記障害が検出された監視端末のバックアップを指示し、
前記さらに別のエリアサーバの監視端末は、前記監視端末の障害が検出されたエリア内の監視情報を自エリア内の監視情報と併せて監視すること、を含む請求項２記載の方法。
【発明の詳細な説明】
【０００１】
【発明の属する技術分野】
本発明はあるエリア内を監視する監視端末に関し、特にエリア分散型又はエリア集中型ネットワーク監視システムにおいて各エリア内の監視を行う監視端末に障害が発生した際に、その監視端末をバックアップする監視端末のバックアップ方法に関するものである。
【０００２】
【従来の技術】
従来、電力監視システム等のように広い地域の情報を管理するシステムにおいては、電力の管理地域を例えば電力会社の各支店単位で複数エリアに分割し、各エリア内の情報はそのエリア毎に設けられた監視端末によって独立に監視するという方法が用いられている。
【０００３】
エリア毎に監視を行う代表的なシステム例としては、エリア別の情報を各エリア毎に設けられた複数のサーバに分けて監視するエリア分散型ネットワーク監視システムとエリア別の情報を１つのサーバで一括監視するエリア集中型ネットワーク監視システムとがある。監視端末は、前記サーバを経由して与えられるエリア内の情報を監視する。
【０００４】
【発明が解決しようとする課題】
しかしながら、前記監視端末は各エリア毎に設けられたスタンドアローン端末であり、監視端末に障害が発生するとそのエリアの監視業務が不可能となり、各エリア別の監視業務を実現するというネットワーク監視システム本来の機能に支障をきたすという問題があった。
【０００５】
そのため、監視端末の障害時に備えて端末の二重化対策が取られてきた。しかしながら、電力設備等のような公共設備を監視するには安定性の高い高価な端末が使用され、またエリアによっては監視情報量の多さから複数の監視端末が必要となるなど、それらを全て二重化することは端末コストや保守等の面でシステムコストを上昇させるという問題点を有していた。
【０００６】
そこで、本発明の目的は、上記問題点に鑑み、各エリア毎の監視は従来通り原則そのエリアの監視端末で行い、あるエリアの監視端末に障害が発生した場合にそのエリア内の監視業務をネットワークを通じて一時的に他のエリアの監視端末にバックアップさせることで、各エリア別の監視業務を中断することなく監視端末及び監視システムのコスト低減を図ったエリア別ネットワーク監視システムにおける監視端末のバックアップ方法を提供せんとするものである。
【０００７】
【課題を解決するための手段】
本発明によれば、エリアサーバを監視するシステム監視装置と、各エリアの監視を行う複数のエリアサーバと、各エリアサーバに接続されてそのエリア内の監視情報を収集する 情報収集装置と、各エリアサーバに接続されてそのエリア内の前記監視情報を監視する監視端末と、で構成されたエリア分散型ネットワーク監視システムにおける監視端末のバックアップ方法であって、前記エリアサーバは、前記監視端末の障害検出時に前記システム監視装置に通知し、前記システム監視装置は、前記通知により、別のエリアサーバに対し前記障害が検出された監視端末のバックアップを指示し、指示された前記別のエリアサーバは、前記システム監視装置を介さず、障害を検出したエリアサーバから監視情報を受信し、前記別のエリアサーバの監視端末は、前記障害を検出したエリアサーバから受信した監視情報を自エリア内の監視情報と併せて監視する、ことを特徴とする監視端末のバックアップ方法が提供される。又、エリアサーバを監視するシステム監視装置と、各エリアの監視を行う複数のエリアサーバと、各エリアサーバに接続されてそのエリア内の監視情報を収集する 情報収集装置と、各エリアサーバに接続されてそのエリア内の前記監視情報を監視する監視端末と、で構成されたエリア分散型ネットワーク監視システムにおける監視端末のバックアップ方法であって、前記エリアサーバは、前記監視端末の障害検出時に前記システム監視装置に監視端末変更依頼し、前記システム監視装置は、前記監視端末変更依頼により別のエリアサーバに対し前記障害が検出された監視端末のバックアップを指示し、指示された前記別のエリアサーバは、前記システム監視装置を介さず、障害を検出したエリアサーバから監視情報を受信し、前記別のエリアサーバの監視端末は、前記障害を検出したエリアサーバから受信した監視情報を自エリア内の監視情報と併せて監視する、ことを特徴とする監視端末のバックアップ方法が提供される。
【００１４】
【発明の実施の形態】
図１及２は本発明が適用されるエリア別の監視を行うシステム構成例を示したものである。
図１はエリア別の情報を各エリア毎に設けられた複数のサーバに分けて監視するエリア分散型ネットワーク監視システムの一例を、そして図２はエリア別の情報を１つのサーバで一括監視するエリア集中型ネットワーク監視システムの一例をそれぞれ示している。
【００１５】
図１のエリア分散型ネットワーク監視システムでは、システム監視装置１０は、例えば電力会社の中央監視センター等に配置され、各エリアＡ〜Ｃ毎に設けられたサーバの状態を監視し制御する。エリアＡについていえば、エリアＡサーバ１１は、例えば市や区単位に設けられた電力会社の支店等が存在するエリアＡの監視情報を情報収集装置１７に命じて収集し、その収集した監視情報を配下の監視端末１４に送信する。監視端末１４は、与えられた監視情報によってエリアＡ内の監視を行う。他のエリアＢ及びＣについても同様である。
【００１６】
図２のエリア集中型ネットワーク監視システムでは、サーバ２１及びシステム監視装置２０は、各々１台だけ設置され、エリアＡ〜Ｃ毎の監視情報を各エリア内に設けられた情報収集装置２５〜２７に命じて収集し、その収集した監視情報を各エリアに対応する監視端末２２〜２４へ送信する。各監視端末２２〜２４は、与えられた監視情報によって対応エリア内の監視を行う。
【００１７】
図３〜７は、図１及び２の各監視システムにおける本発明の基本的な処理フロー例を示したものである。
図３は、システム監視装置の基本処理フロー例を示したものである。
図３において、システム監視装置１０，２０は、サーバ管理のために周期的に配下の各サーバ１１〜１３、２１に対してサーバ情報の送信を要求し、各サーバから現在のサーバ情報を受信する（Ｓ１０１及び１０２）。そして、必要ならシステム管理テーブルを更新する（Ｓ１０８）。
【００１８】
このように、本発明が適用されるエリア別の監視システムでは、中央のシステム監視装置１０、２０は基本的にはサーバの管理・制御だけを行い、各エリア内の管理は対応する各サーバ１１〜１３、２１がそれぞれ独立して行う。
【００１９】
ここで、例えば図１のエリアＡの監視端末１４に障害が発生すると、本発明ではシステム監視装置１０、２０がサーバ１１、２１から監視端末変更依頼を受信する（Ｓ１０３）。これにより、システム監視装置１０、２０はシステム管理テーブルを検索し、エリアＡを監視する端末を他のエリアＢ又はＣの監視端末１５、１６、２３又は２４に変更するよう指示する（Ｓ１０４及び１０５）。その後、前記変更を指示した監視端末を有する他のエリアのサーバ１２又は１３、２１から監視端末の変更設定の報告を受信すると、エリアＡで収集された監視情報を変更後の監視端末１５、１６、２３又は２４へ転送するサーバ間の通信路を設定し、最後にシステム管理テーブルを更新する（Ｓ１０６〜１０８）。
【００２０】
なお、前記通信路は、システム監視装置１０、２０を介さず、通信時にサーバ同士で設定するように構成してもよい（図３の点線参照）。また前記エリアＡの監視端末１４が後述するように手動設定やサーバの自動制御によって変更された場合には、監視端末変更依頼（Ｓ１０３）を受信することなく直接監視端末変更報告を受信する（Ｓ１０６）。この場合には、前記ステップＳ１０６以降の処理が実行される。
【００２１】
図４及び５は、本発明によるサーバの基本処理フロー例を示したものである。また、図６及び７は、監視端末及び情報収集装置のそれぞれの基本処理フロー例を示したものである。
図４において、システム監視装置１０，２０からの周期的なサーバ情報の送信要求に対してその時点におけるサーバ状態を報告するのは図３の説明で述べた通りである（Ｓ２０９及び２１０）。
【００２２】
サーバ１１〜１３、２１は、また各エリア毎に設けられた情報収集装置１７〜１９、２５〜２７に対して周期的にエリア内の監視情報を要求する（Ｓ２０１）。図７に示すように、監視情報を要求された情報収集装置１７〜１９、２５〜２７は、その配下にある被監視端末等の状態を監視してその結果を対応サーバに報告する（Ｓ４０１〜４０３）。
【００２３】
前記監視情報報告を受けたサーバ１１〜１３、２１は（Ｓ２０２）、次にその監視情報報告を配下の各エリアに対応した監視端末１４〜１６、２２〜２４に送信する（Ｓ２０３）。図６に示すように、各監視端末１４〜１６、２２〜２４は、サーバ１１〜１３、２１から受信した監視情報を処理してディスプレイ表示やアラーム処理等の各種処理を行いその処理の終了をサーバ１１〜１３、２１へ報告する（Ｓ３０１〜３０３）。また、各監視端末１４〜１６、２２〜２４はそのディスプレイや記憶装置等の各種備品の定期診断をおこない、以上を検出した時には監視端末障害をサーバ１１〜１３、２１へ通知する（Ｓ３０４〜３０６）。
【００２４】
図４に戻って、サーバ１１〜１３、２１は監視情報の送信からその処理終了報告を受信すると（Ｓ２０５）、所定時間後に再び監視情報の送信処理を開始する。もし、終了報告受信前に所定の応答時間がタイムアウトしてしまった場合には（Ｓ２０４）、何らかの監視端末障害若しくは通信路障害等が発生したものとして監視端末の障害処理を開始する。前記障害処理は、図６で示した監視端末からの異常通知によっても開始される（Ｓ３０６及び２０６）。
【００２５】
前記障害処理では、サーバに備えられた保守・運用コンソール等に警告表示やアラーム出力が行われ（Ｓ２１８）、その際に障害処理を手動／自動制御で行うかの判断がなされる（Ｓ２０８）。手動処理の設定の場合には、オペレータが前記コンソール等からバックアップ用の監視端末への切換情報を入力する（Ｓ２０８）。バックアップ用の監視端末には他のエリアの監視端末が選ばれる。この情報は監視端末変更報告としてシステム監視装置１０、２０へ通知される（Ｓ２１５及び１０６）。この後の処理は図３で説明した通りである（Ｓ１０７及び１０８）。
【００２６】
自動処理設定がなされていた場合には、障害監視端末を収容するサーバは監視端末の障害情報を含む監視端末変更依頼をシステム監視装置１０、２０へ送出する（Ｓ２１１）。図３で説明した処理Ｓ１０３〜１０５によりシステム監視装置１０、２０から監視端末変更指示を受信したサーバは、障害監視端末の切り離し処理やバックアップ指定された監視端末に対して他のエリアの監視情報を処理するのに必要な設定を行う。その際、指定された監視端末では情報処理量や必要な記憶容量等が増大するためその正常性がチェックされる（Ｓ２１２〜２１４）。
【００２７】
前記変更に問題がなければ監視端末の変更報告をシステム監視装置１０、２０へ送信する（Ｓ２１５及び１０６）。変更後の監視端末が正常性を維持できないと判断した場合には、図１のエリア分散型ネットワーク監視システムではエリアサーバ１１〜１３がシステム監視装置１０、２０へ他のエリアからの監視情報を新たに追加することができない旨の情報を含む端末変更依頼を送出する（Ｓ２１６及び２１１）。その結果、システム監視装置１０、２０から新たな変更指示が与えられ、バックアップ監視端末１４〜１６が決定するまで上述したステップＳ２１２以降の処理が繰り返される。
【００２８】
一方、図２のエリア集中型ネットワーク監視システムの場合には、１つのサーバ２１の配下に複数の監視端末２２〜２４を有するため、サーバ２１が別の監視端末を指定し、上述したステップＳ２１３以降の各処理がバックアップ監視端末２２〜２４が決定されるまで繰り返される（Ｓ２１６及び２１７）。さらに、後者のエリア集中型ネットワーク監視システムの場合には、手動処理の場合と同様に監視端末の障害発生時点で監視端末変更依頼をシステム監視装置１０、２０へ送出することなく、サーバ２１がステップＳ２１３以降の処理を独自に実行することができる。
【００２９】
次に、本発明のより具体的な実施例について説明する。
図８は、システム監視装置の一実施例を示したものである。
図９は、システム管理テーブルの一例を示したものである。
図８において、装置状態監視部１０１は、各サーバの運用状態を管理する装置状態テーブル１０２を使ってネットワーク監視システムにおける各サーバの状態を監視する。
【００３０】
図９の（ａ）には、装置状態テーブル１０２の一例を示している。装置状態テーブル１０２は、サーバ番号によってインデックスされその監視端末の運用可／不可状態を記録する。また、装置状態監視部１０１は、装置状態が変更された場合に装置状態変化通知部１０４を通して装置の状態変化を運用者に通知する。装置状態制御部１０７は、監視システムにおけるサーバの接続状態を制御する。また、装置接続監視部１１１は、サーバ間の接続状態の整合性を定期的にチェックする。
【００３１】
切替先装置抽出部１０８は、監視端末障害発生時に切替先のサーバを抽出する。それには、切替の自動／手動の設定がなされた装置切替テーブル１０３、サーバ間の接続状態を管理する接続状態テーブル１１０、及びサーバの切替先を登録する切替先装置登録テーブル１０９を参照する。図９の（ｂ）〜（ｄ）には、装置切替テーブル１０３、接続状態テーブル１１０及び切替先装置登録テーブル１０９の一例を示している。いずれもサーバ番号によってインデックスされ、切替えの自動／手動、接続先のサーバ番号、そして切替え先のサーバ番号がそれぞれ設定されている。装置切替指示受信部１０５は、サーバからの切替え指示を受信する。また、装置切替指示部１０６は、切替指示を各サーバへ送信する。
【００３２】
図３との関連では、装置切替指示受信部１０５がサーバから監視端末変更依頼又は監視端末変更報告からなる切替指示を受信する。以下、監視端末変更依頼があった場合について説明するが、図３からも明らかなように監視端末変更報告があった場合も同様に処理される。
【００３３】
監視端末変更依頼を受信すると、装置状態制御部１０７が切替先装置抽出部１０８に切替先のサーバ抽出を指示する。切替先装置抽出部１０８は、接続状態テーブル１１０及び切替先装置登録テーブル１０９を参照して障害監視端末の現在の接続先と切替え先のサーバ番号を抽出する。
【００３４】
さらに装置状態テーブル１１０を参照して切替え先サーバにおける監視端末の運用可能を確認する。その際、装置切替テーブル１０３を参照して切替え先サーバが手動設定の場合にはオペレータからの新たな切替先の設定等を含む切替指示を、また自動設定の場合には抽出した現在の接続先及び切替え先のサーバ番号を装置状態制御部１０７へ通知する。装置状態制御部１０７は、監視端末の変更指示を装置切替指示部１０６を介して対応サーバへ送出する。
【００３５】
次に、装置切替指示受信部１０５で対応サーバからの監視端末変更報告を受信すると、装置状態制御部１０７は、装置状態テーブル１１０を切替先のサーバ番号に更新し、切替先装置抽出部１０８を介して装置状態テーブル１０２に障害監視端末の運用不可を設定する。また、装置接続監視部１１１では、更新されたサーバ間の接続状態の整合性をチェックする。装置状態監視部１０１は、上記装置状態の変更を装置状態変化通知部１０４を介してディスプレイ表示等によりオペレータに知らせる。
【００３６】
図１０は、エリア分散型ネットワーク監視システムにおけるエリアサーバの一実施例を示したものである。図１１は、図１０の下位状態テーブルの一例を示したものである。
図１０において、システム監視装置１０は図８と同じものであり、そのパス通信部１１２は図８の装置切替指示受信部１０５及び装置切替指示部１０６に相当する。システム監視装置１０及び各エリアサーバ１１〜１３との間はＬＡＮ若しくはＷＡＮ接続等による上位パスで接続され、一方各エリアサーバ１１〜１３とその監視端末１７〜１９との間はパラレル若しくはシリアル接続等による下位パスで接続される。
【００３７】
エリアサーバの上位パス通信部２０１は、別のサーバ及びシステム監視装置１０との間のパス接続及び通信制御を行う。また、下位パス通信部２０７は、監視端末１７〜１９との間のパス接続及び通信制御を行う。下位状態監視部２０１は、監視端末の状態及び監視端末との間の通信パス状態を監視する。下位状態テーブル２０３には、監視端末との間の通信パスの状態及び監視端末の状態が記録される。
【００３８】
図１１に示すように、下位状態テーブル２０３はエリアサーバ番号によってインデックスされ、さらに監視端末の変更にも対応できるように監視端末番号によって２次インデックスされる。そこには現在の監視端末との間の通信パスの正常／異常及び監視端末の正常／異常が記録される。
【００３９】
下位状態変化通知部２０４は、監視端末との間の通信パス状態の変化や監視端末から監視端末異常通知があった場合に、その状態変化を前記下位状態監視部２０１へ通知する。下位パス切替指示受信部２０５は、上位パス通信部２０１を介してシステム監視装置１０から監視端末の変更指示を受信し、下位パス切替指示部２０６はその下位パス切替指示受信部２０５からの指示に従って下位パスを切り替える。また、エリアサーバ状態監視部２１０は、オペレータが操作する保守コンソール５０１を制御する。
【００４０】
次に、一例として下位パス通信部２０７と監視端末との間で断線等による通信パス障害が発生した場合の動作について説明する。なお、図１０は、監視端末の障害発生時にオペレータが保守コンソール５０１を介して手動で監視端末の切替を実行する手動制御の例を示している。
【００４１】
下位パス通信部２０７は、監視端末からの応答が無い等の異常を検出して下位状態変化通知部２０４にその状態変化を通知する。下位状態変化通知部２０４は、下位状態監視部２０２に状態変化があった旨を通知し、さらにその状態変化を下位状態テーブル２０３に記録する。
【００４２】
下位状態監視部２０２は、前記通知により下位状態テーブル２０３を参照し、その記録内容から障害情況を判断し、エリアサーバ状態監視部２１０に障害内容を通知し、保守コンソール５０１を介したオペレータからの指示を待つ。その指示内容は下位パス切替指示受信部２０５に与えられる。下位パス切替指示部２０６は下位パス切替指示受信部２０５からの指示に従って下位パスを切り替える。
【００４３】
その状態変化は下位状態変化通知部２０４に通知され、下位状態変化通知部２０４は下位状態監視部２０２に状態変化があった旨を通知し、さらにその状態変化を下位状態テーブル２０３に記録する。下位状態監視部２０２は、前記通知により監視端末変更報告を上位パス通信部２０１を介してシステム監視装置１０へ送信する。
【００４４】
図１２は、エリア分散型ネットワーク監視システムにおけるエリアサーバの別の実施例を示したものである。
図１２では、監視端末の切替は全て自動で行われる。図１０と同じ障害が発生したとすると、下位パス通信部２０７は、監視端末からの応答が無い等の異常を検出して下位状態変化通知部２０４にその状態変化を通知する。下位状態変化通知部２０４は、下位状態監視部２０２に状態変化があった旨を通知し、さらにその状態変化を下位状態テーブル２０３に記録する。
【００４５】
下位状態監視部２０２は、前記通知により下位状態テーブル２０３を参照し、その記録内容から障害情況を判断し、それに基づく監視端末変更依頼を上位パス通信部２０１を介してシステム監視装置１０へ送信する。その後、上位パス通信部２０１を介してそれに対応する監視端末変更指示を下位パス切替指示受信部２０５で受信すると、下位パス切替指示部２０６は下位パス切替指示受信部２０５からの指示に従って下位パスを切り替える。
【００４６】
その状態変化は下位状態変化通知部２０４に通知され、下位状態変化通知部２０４は下位状態監視部２０２に状態変化があった旨を通知し、さらにその状態変化を下位状態テーブル２０３に記録する。下位状態監視部２０２は、前記通知により監視端末変更報告を上位パス通信部２０１を介してシステム監視装置１０へ送信する。
【００４７】
ところで図１２では、上述した本発明による監視端末の自動切替構成に、さらに下位パス切替状態管理部２２０及び下位抽出部２２１が付加されている。下位切替状態管理部２２０は、下位状態テーブル２０３を監視してパス切り替え後の結果が異常の場合のみ下位パス抽出部２２１にそのサーバ配下に存在する別の下位パスの抽出を指示する。
【００４８】
本例のようにエリア分散型ネットワーク監視システムにおいては１つのサーバに１つの下位パスしか存在しないため、この場合の下位パス抽出部２２１は下位状態変化通知部２０４へ切替後の異常を通知する。その結果は図５で説明したようにシステム監視装置１０により別のエリアサーバが指定され、そこの下位パスが設定される。この動作も正常な下位パスが設定されるまで繰り返される。
【００４９】
図１３及び１４は、エリア集中型ネットワーク監視システムにおけるサーバの一実施例を示したものであり、各構成は図１１及び１２のものにそれぞれ対応している。
図１３及び１４のエリア集中型ではサーバ２１は１台であり、また下位パス通信部２０７には各エリアに対応した複数の監視端末２５〜２７が接続される。それ以外は、上述した図１１及び１２と同じである。従って、図１３及び１４の動作については図１１及び１２の説明を参照されたい。
【００５０】
ただし、図１４の下位パス抽出部２２１の動作については図１４のものとは異なるのでここで説明する。本例はエリア集中型ネットワーク監視システムを対象としているため１つのサーバ２１に複数の下位パスが存在する。従って、下位パス抽出部２２１は別の下位パスを抽出することができ、その結果は下位パス切替指示受信部２０５に通知される。これ以降の動作は図５で説明したとおりであり正常な下位パスが設定されるまでこの動作が繰り返される。
【００５１】
【発明の効果】
以上述べたように、本発明によればエリア別ネットワーク監視システムにおいて監視サーバおよび監視端末を監視するシステム監視装置が、各エリア監視サーバおよび各監視端末の状態を管理し、監視端末とエリア別サーバー間の接続状態の制御を行うことで、エリア間における監視業務のバックアップを行うことが可能となる。
【図面の簡単な説明】
【図１】エリア分散型ネットワーク監視システムの基本構成例を示した図である。
【図２】エリア集中型ネットワーク監視システムの基本構成例を示した図である。
【図３】本発明によるシステム監視装置の基本処理フロー例を示した図である。
【図４】本発明によるサーバの基本処理フロー例（１）を示した図である。
【図５】本発明によるサーバの基本処理フロー例（２）を示した図である。
【図６】監視端末の基本処理フロー例を示した図である。
【図７】情報収集装置の基本処理フロー例を示した図である。
【図８】システム監視装置の一実施例を示した図である。
【図９】システム管理テーブルの一例を示した図である。
【図１０】エリア分散型ネットワーク監視システムにおけるエリアサーバの一実施例を示した図である。
【図１１】図１０の下位状態テーブルの一例を示したものである。
【図１２】エリア分散型ネットワーク監視システムにおけるエリアサーバの別の実施例を示した図である。
【図１３】エリア集中型ネットワーク監視システムにおけるサーバの一実施例を示した図である。
【図１４】エリア集中型ネットワーク監視システムにおけるサーバの別の実施例を示した図である。
【符号の説明】
１０、２０…システム監視装置
１１〜１３、２１…サーバ
１４〜１６、２２〜２４…監視端末
１７〜１９、２５〜２７…情報収集装置
【図１】
0003759675.tif 000002
【図２】
0003759675.tif 000003
【図３】
0003759675.tif 000004
【図４】
0003759675.tif 000005
【図５】
0003759675.tif 000006
【図６】
0003759675.tif 000007
【図７】
0003759675.tif 000008
【図８】
0003759675.tif 000009
【図９】
0003759675.tif 000010
【図１０】
0003759675.tif 000011
【図１１】
0003759675.tif 000012
【図１２】
0003759675.tif 000013
【図１３】
0003759675.tif 000014
【図１４】
0003759675.tif 000015